(57)【要約】【課題】斜め方向から眺めた場合における照明の色味の変化を防止し得るようにする。【解決手段】青色光３を発生させる青色光源４と、この青色光源４からの青色光３を白色系の合成光５に変換可能な白色変換部６と、この白色変換部６を覆う暗色透明なカバー部材７と、を順に備えた照明構造２に関する。  上記白色変換部６とカバー部材７との間に、上記白色変換部６で変換された合成光５を拡散させる光拡散部５１を設けるようにする。【選択図】図７
2015209045.tif 000002
【特許請求の範囲】
【請求項１】
青色光を発生させる青色光源と、該青色光源からの青色光を白色系の合成光に変換可能な白色変換部と、該白色変換部を覆う暗色透明なカバー部材と、を順に備えた照明構造において、
前記白色変換部とカバー部材との間に、前記白色変換部で変換された合成光を拡散させる光拡散部を設けたことを特徴とする照明構造。
【請求項２】
請求項１に記載の照明構造であって、
前記光拡散部が、前記白色変換部とカバー部材との間における、前記白色変換部側に設けられたことを特徴とする照明構造。
【請求項３】
請求項１または請求項２に記載の照明構造であって、
前記光拡散部が、光拡散シート、光拡散印刷層、光拡散用キャップ部材、または、光拡散用凹凸部のうちの、少なくとも１つであることを特徴とする照明構造。
【発明の詳細な説明】
【技術分野】
【０００１】
この発明は、照明構造に関するものである。
【背景技術】
【０００２】
自動車などの車両には、車室内の前部にインストルメントパネルが設置されている。そして、このインストルメントパネルの車幅方向中央部などに対し、操作パネルを設置することが行われている。この操作パネルは、例えば、空調装置や、オーディオ装置や、運転モード切替装置などの車載用機器のためのものとされる。また、このような操作パネルには、照明構造が備えられている。
【０００３】
この照明構造には、青色光を発生させる青色光源と、この青色光源からの青色光を白色系の合成光に変換可能な白色変換部と、この白色変換部を覆う暗色透明なカバー部材と、を順に備えたものが存在している。
【０００４】
このような構成では、青色光源を点灯すると、青色光源からの青色光は、白色変換部とカバー部材とを順に透過することになる。これによって、外部からは、カバー部材の前面上に照明を視認することができるようになる。
【０００５】
この際、白色変換部では、白色変換部をそのまま通過する青色光（青色通過光）と、白色変換部内で（黄色に）色変換される光（（黄色）変換光）とが混合されることによって、青色光が白色系の合成光（合成白色光）に変換される。これにより、カバー部材上の照明は、白色に見えるものとなる。
【先行技術文献】
【特許文献】
【０００６】
【特許文献１】特開２００７−２９３２５３号公報
【発明の概要】
【発明が解決しようとする課題】
【０００７】
しかしながら、上記した照明構造には、カバー部材を斜めから見た時に、カバー部材の照明が、黄色っぽく見えてしまうという問題が生じていた。これは、斜めから見た場合には、正面から見た場合よりも、白色変換部内を通る青色光の通過経路が長くなるので、青色通過光に対する（黄色）変換光の割合が多くなってしまい、合成光の色味（黄色味）が強くなることによる。
そこで、本発明は、上記した問題点を解決することを、主な目的としている。
【課題を解決するための手段】
【０００８】
上記課題を解決するために、本発明は、
青色光を発生させる青色光源と、該青色光源からの青色光を白色系の合成光に変換可能な白色変換部と、該白色変換部を覆う暗色透明なカバー部材と、を順に備えた照明構造において、
前記白色変換部とカバー部材との間に、前記白色変換部で変換された合成光を拡散させる光拡散部を設けたことを特徴とする。
【発明の効果】
【０００９】
本発明によれば、上記構成によって、以下のような作用効果を得ることができる。
即ち、白色変換部とカバー部材との間に、光拡散部を設けるようにした。これにより、白色変換部で変換された合成光を、光拡散部を用いて拡散させることで、色味を薄くすることができるようになる。その結果、カバー部材を斜めから見た場合であっても、照明を（黄色っぽくならずに）白く見せることができるようになる。以って、照明が白く見える角度範囲を広げることが可能となる。
【図面の簡単な説明】
【００１０】
【図１】本実施の形態の実施例にかかる照明構造を備えた多機能コントローラの正面図である。
【図２】図１の多機能コントローラの分解斜視図である。
【図３】図２のスイッチ（押ボタン）を部分拡大した縦断面図である。
【図４】多機能コントローラの照明構造の概念図である。
【図５】図３のスイッチ（押ボタン）の可変表示例である。
【図６】図３の透光性シートの断面図である。
【図７】光拡散部を備えたカバー部材を斜めから見た場合の、図４と同様の照明構造の概念図である。
【図８】光拡散部を備えていない、図７と同様の照明構造の概念図である。
【発明を実施するための形態】
【００１１】
以下、本実施の形態を、図面を用いて詳細に説明する。
図１〜図８は、この実施の形態を説明するためのものである。
【実施例１】
【００１２】
＜構成＞以下、この実施例の構成について説明する。
自動車などの車両には、車室内の前部にインストルメントパネルが設置されている。そして、このインストルメントパネルの車幅方向中央部などに対し、図１の正面図（または図２の分解斜視図）に示すような、操作パネル１が設置される。この操作パネル１は、例えば、図示しない空調装置や、オーディオ装置や、運転モード切替装置や、その他の装置などの車載用機器を操作するためのものとされる。そして、この操作パネル１を、図３の部分拡大断面図に示すような、照明構造２を備えたものとする。
【００１３】
即ち、この照明構造２を、図４の概念図に示すように、青色光３を発生させる青色光源４（青色ＬＥＤ）と、この青色光源４からの青色光３を白色系の合成光５に変換可能な白色変換部６と、この白色変換部６を覆う暗色透明なカバー部材７と、を順に備えたものとする。
【００１４】
ここで、青色光３は、一部が白色変換部６をそのまま通過し（青色通過光）、一部が白色変換部６によって（黄色に）色変換される（（黄色）変換光８）ことになる。そして、青色通過光と（黄色）変換光８とが合成されることによって、白色系の合成光５となる。カバー部材７は、暗色透明な樹脂によって形成しても良いし、透明な樹脂に暗色系のフィルムを貼ったものとしても良い。
【００１５】
より具体的には、図１に戻って、上記した「操作パネル１」は、前面部分に、各種の押ボタン１１，１２やダイヤル１３などの操作部を有する前面側筐体部１５と、この前面側筐体部１５の後面側に取付けられる図示しない後面側筐体部と、を備えたものとされる。前面側筐体部１５と後面側筐体部との間には、図２に示すような、回路基板１７が設けられる。この回路基板１７には、図３に示すように、例えば、上記した押ボタン１１によって操作されるスイッチ素子１８（スイッチ部品）が取付けられる。そして押ボタン１１やスイッチ素子１８などによって押ボタンスイッチ（いわゆるスイッチ）が構成される。スイッチ素子１８は上記した各押ボタン１１ごとに個別に設けられる。
【００１６】
上記した押ボタン１１は、前面側筐体部１５と一体に設けられたガイド部２１に沿って手前側の待機位置（非操作位置）と奥側の押込位置（操作位置）との間を移動可能なスライダー２２と、このスライダー２２の前面側の端部に取付けられて押圧面となる上記カバー部材７と、スライダー２２の後面側の端部に取付けられた後端側キャップ部材２３と、を備えている。
【００１７】
そして、上記した「照明構造２」では、上記青色光源４が、回路基板１７にスイッチ素子１８と隣接させて取付けられると共に、上記白色変換部６が、スライダー２２とカバー部材７との間に介在されている。スライダー２２の内部には、光を効率良く案内するための導光体２４が挿入配置されている。このような照明構造２は、各押ボタンスイッチごとに個別に設置されている。
【００１８】
上記したような構成に対し、更に、上記操作パネル１が、複数の車載用機器を切替操作可能な多機能コントローラ３１（多目的操作パネル）とされる。この多機能コントローラ３１は、例えば、上記した空調装置のための操作パネル１（空調コントローラ）と、運転モード切替装置のための操作パネル１（運転モード切替パネル）と、の機能を両方同時に備えたものとされる（但し、上記は例示であり、操作対象となる車載用機器の組み合わせは、これに限るものではない）。しかも、多機能コントローラ３１の押ボタン１１の数を減らすために、各押ボタンスイッチに対し、図５に示すように、空調コントローラの機能（例えば、「Ａ／Ｃ」スイッチ＝空調装置のオンオフスイッチ）と、運転モード切替パネルの機能（例えば、「ＮＯＲＭＡＬ」スイッチ＝ノーマル運転モード選択スイッチ）との２種類の機能を割り当てるようにしている。そして、この多機能コントローラ３１は、図１の切替スイッチ（押ボタン１２）によって、空調コントローラにも運転モード切替パネルにもなるように切替えられる。
【００１９】
更に、切替スイッチ（押ボタン１２）による押ボタンスイッチ（押ボタン１１）の機能の切替えに応じて、各押ボタン１１の表示（例えば、カバー部材７の押圧面に表示される上記「Ａ／Ｃ」と「ＮＯＲＭＡＬ」との表示）を変更できるようにするために、可変表示構造３２が採用される。なお、図５では、「Ａ／Ｃ」と「ＮＯＲＭＡＬ」とは、互いに重なる位置に、どちらか一方のみが表示されるようになっている。また、「Ａ／Ｃ」と「ＮＯＲＭＡＬ」とは、異なる色で表示されるようになっている（例えば、「Ａ／Ｃ」は白色の第一表示部とされ、「ＮＯＲＭＡＬ」は橙色の第二表示部とされる）。
【００２０】
そして、この可変表示構造３２が、上記した図３の照明構造２を利用した照明表示とされる。この可変表示構造３２は、各押ボタン１１に対し、上記した青色光源４に加えて、青色光３以外の有色光を発生させる第二光源４１（例えば、橙色のＬＥＤ）を設け、両者を切替可能とする。第二光源４１は、青色光源４と隣接させて回路基板１７に取付けるようにする。
【００２１】
また、上記青色光源４および第二光源４１（の表面側）と、暗色透明なカバー部材７との間に、透光可能な透光性シート４２を備えるようにする。
【００２２】
そして、この透光性シート４２が、図６に示すように、少なくとも、
青色光源４からの青色光３を透過させると共に第二光源４１からの有色光を遮る第一印刷部分４３（例えば、ダークシアン層）と、
第二光源４１からの有色光を透過させると共に青色光源４からの青色光３を遮る第二印刷部分４４（例えば、橙色層）と、
青色光源４からの青色光３および第二光源４１からの有色光を光量を抑制させて共に透過させる調光印刷部分４５（例えば、ライトマゼンタ層）と、
青色光源４からの青色光３および第二光源４１からの有色光を共に遮る遮光印刷部分４６（例えば、黒色層）と、を有するものとされる。
【００２３】
ここで、第一印刷部分４３、第二印刷部分４４、調光印刷部分４５、遮光印刷部分４６の各印刷部分は、透光性シート４２の一面側（例えば、前面側）に対し、（一度にまたは複数回に分けて）熱転写することによって形成される。なお、上記した各印刷部分は、層の厚さ（色の濃さ）を調整するために、それぞれ多層に形成しても良い。また、上記した各印刷部分を多層に形成する場合には、各印刷部分の熱転写時の切れを防止するために、これらを交互に配置して段差が大きくならないようにするのが好ましい。
【００２４】
また、透光性シート４２の他面側（例えば、後面側）に対し、別の遮光印刷部分４７を熱転写するようにしても良い。この別の遮光印刷部分４７は、透光性シート４２の熱影響による反りを防止するため、および、遮光印刷部分４６の色抜けを防止するために補助的に（単層または多層に）設けられる。
【００２５】
なお、図中の中間転写層４８は、熱転写のために使用されるものであり、熱転写後には、剥がしても良いし、そのまま残しても良い。
【００２６】
そして、上記した白色変換部６については、透光性シート４２とカバー部材７との間に位置させるようにする。この白色変換部６は、例えば、ＹＡＧ系の黄色蛍光印刷層などによって構成される。この場合、白色変換部６は、上記した各印刷部分が形成された透光性シート４２の前面側に対して、直接印刷形成することによって形成されている。この白色変換部６は、正面から見た時に、合成光５が丁度白く見える厚みに形成される。白色変換部６は、その厚み（色の濃さ）を最適に設定・調整するために、多層に印刷（例えば、スクリーン印刷）形成される。なお、白色変換部６は、上記した透光性シート４２に対して直接印刷する代わりに、図示しない別の透明シートに印刷形成したものを、透光性シート４２とカバー部材７との間に設置するようにしても良い。
【００２７】
このような構成に対し、この実施例では、以下のような構成を備えるようにしている。
【００２８】
（１）図７に示すように、上記白色変換部６とカバー部材７との間に、上記白色変換部６で変換された合成光５を拡散させる光拡散部５１を設けるようにする。
【００２９】
ここで、光拡散部５１は、上記した照明表示を妨げない程度に合成光５を拡散させるものとする。なお、光拡散部５１は、カバー部材７の前面側の意匠や、カバー部材７上の照明（照明表示）に影響を与えないのであれば、カバー部材７の前面側に設けることも可能である。
【００３０】
（２）そして、好ましくは、上記光拡散部５１が、上記白色変換部６とカバー部材７との間における、上記白色変換部６側に設けられるようにする。
【００３１】
ここで、白色変換部６側とは、白色変換部６とカバー部材７との間の（面直方向の）中間部５２よりも白色変換部６寄りの位置という意味である。なお、光拡散部５１は、白色変換部６から離して設けられる程、照明表示がボケ易くなくなるので、光拡散部５１は、白色変換部６に密着させるように設けるのが最も望ましい。
【００３２】
（３）上記光拡散部５１が、光拡散シート５３、光拡散印刷層５４、光拡散用キャップ部材５５、または、光拡散用凹凸部５６のうちの、少なくとも１つとされる。
【００３３】
ここで、
「光拡散シート５３」は、光を拡散するようにしたシートである。光拡散シート５３は、透光性シート４２の前面側（白色変換部６の上側）に貼り付けるようにするのが好ましい。
「光拡散印刷層５４」は、光を拡散するようにした印刷層のことである。光拡散印刷層５４は、透光性シート４２の前面側（白色変換部６の上側）に印刷形成するのが好ましい。
「光拡散用キャップ部材５５」は、光拡散シート５３と同様の樹脂部材などをキャップ状に加工して、透光性シート４２に被せて設置できるようにしたものである。
「光拡散用凹凸部５６」は、細かい凹凸を有するシボ模様のことである。この光拡散用凹凸部５６は、カバー部材７の後面（または前面）の少なくとも一方に形成することができる。
【００３４】
なお、光拡散シート５３、光拡散印刷層５４、光拡散用キャップ部材５５、光拡散用凹凸部５６は、２つ以上を組み合わせて使用することができる。
【００３５】
（４）その他の構成として、カバー部材７を、僅かに青味が掛かったものとしても良い。そのために、カバー部材７を青味が掛かった樹脂素材で構成するようにしても良い。
【００３６】
＜作用＞以下、この実施例の作用について説明する。
上記した多機能コントローラ３１の作用について説明する。
【００３７】
青色光源４を発光すると、青色光源４からの青色光３は、図６の透光性シート４２の第一印刷部分４３および調光印刷部分４５を通過する。透光性シート４２を通った青色光３は、次に、白色変換部６を通過し、白色変換部６で変換されて白色系の合成光５となる。白色変換部６で変換された白色系の合成光５は、その後、カバー部材７を通過して、カバー部材７に白色の第一表示部（例えば、図５における「Ａ／Ｃ」）を表示させる。この際、青色光源４からの青色光３は、透光性シート４２の第二印刷部分４４および遮光印刷部分４６で遮られることによって、第一印刷部分４３および調光印刷部分４５を合わせた形状の第一表示部となる。
【００３８】
また、第二光源４１を発光させると、第二光源４１からの有色光は、透光性シート４２の第二印刷部分４４および調光印刷部分４５を通過する。透光性シート４２を通った有色光は、次に、白色変換部６をそのまま通過し、その後、カバー部材７を通過して、カバー部材７に有色の第二表示部を表示させる（例えば、図５における橙色の「ＮＯＲＭＡＬ」）。この際、第二光源４１からの有色光は、透光性シート４２の第一印刷部分４３および遮光印刷部分４６で遮られることによって、第二印刷部分４４および調光印刷部分４５を合わせた形状の第二表示部となる。
【００３９】
＜効果＞この実施例によれば、以下のような効果を得ることができる。
（１）上記した照明構造２においては、図４に示すように、青色光源４を点灯すると、青色光源４からの青色光３は、白色変換部６とカバー部材７とを順に透過することになる。これによって、外部からは、カバー部材７の前面上に照明（照明表示）を視認することができるようになる。
【００４０】
この際、白色変換部６では、白色変換部６をそのまま通過する青色光３（青色通過光）と、白色変換部６内で（黄色に）色変換される光（（黄色）変換光）とが混合されることによって、青色光３が白色系の合成光５（合成白色光）に変換される。これにより、カバー部材７上の照明（照明表示）は白色に見えるものとなる。
【００４１】
このような状況で、図８に示すように、カバー部材７を斜めから見た時に、カバー部材７の照明（照明表示）が黄色っぽく見える現象が生じる。これは、斜めから見ると、正面から見るよりも、白色変換部６内を通る青色光３の通過経路が長くなるので、青色通過光に対する（黄色）変換光の割合が多くなってしまい、合成光５の色味（黄色味）が強くなることによる。
【００４２】
そこで、図７に示すように、白色変換部６とカバー部材７との間に、光拡散部５１を設けるようにした。これにより、白色変換部６で変換された合成光５を、光拡散部５１を用いて拡散させることで、色味を薄くすることができるようになる。その結果、カバー部材７を斜めから見た場合であっても、照明（照明表示）を（黄色っぽくならずに）白く見せることができるようになる。以って、照明が白く見える角度範囲を広げることが可能となる。
【００４３】
（２）光拡散部５１を、白色変換部６側に設けた。これにより、光拡散部５１が白色変換部６から離して設けられることによって、カバー部材７上の照明（または照明表示）がボケてしまうのを防止することができる。なお、照明（または照明表示）のボケは、光拡散部５１が、後述する光拡散シート５３や光拡散用キャップ部材５５などのような別部材構成とされている場合に、特に問題となるものである。
【００４４】
（３）光拡散部５１を、光拡散シート５３、光拡散印刷層５４、光拡散用キャップ部材５５、または、光拡散用凹凸部５６のうちの、少なくとも１つとした。これにより、合成光５を上記のいずれかで確実に拡散させて、上記した照明が白く見える角度範囲を広げる効果を実際に得ることができるようになる。
【００４５】
（４）更に、カバー部材７を、僅かに青味が掛かったものとするようにしても良い。これにより、斜めから見て黄色味が増す合成光５を、カバー部材７または光拡散部５１の青味によって、白く見えるように補正することができる。但し、カバー部材７の青味は、正面から見た合成光５の色味が青っぽくならない程度の薄いものとする。
【００４６】
以上、この発明の実施例を図面により詳述してきたが、実施例はこの発明の例示にしか過ぎないものである。よって、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００４７】
２    照明構造
３    青色光
４    青色光源
５    合成光
６    白色変換部
７    カバー部材
５１  光拡散部
５３  光拡散シート
５４  光拡散印刷層
５５  光拡散用キャップ部材
５６  光拡散用凹凸部
【図１】
2015209045.tif 000003
【図２】
2015209045.tif 000004
【図３】
2015209045.tif 000005
【図４】
2015209045.tif 000006
【図５】
2015209045.tif 000007
【図６】
2015209045.tif 000008
【図７】
2015209045.tif 000009
【図８】
2015209045.tif 000010